(57)【要約】【課題】従来の構成においては、コードリールにブレーキ作用を働かせるにコードリールペダルと別部品を設けなければならず、また、コードリールペダルを挟み込む構成にしなければならないために製品の組立てが複雑になりまた別部品を設けることによるコストアップとなっていた。【解決手段】コードリール３０を巻き取るためのブレーキレバー３３のボタン部３３ｂ付近の変形部３３ｄが弾性変形することにより、保持部３３ｃを介してブレーキ部３３ａが上方に持ち上げられる。これによりブレーキ部３３ａがコードリール３０の外周から離れ、コードリール３０内に配されたゼンマイバネ３２により巻き取ることができる。この構成によりデザイン外観に影響せずコードリールセットの部品点数を減らすことができる。【選択図】図３
2012061199.tif 000002
【特許請求の範囲】
【請求項１】
電源を供給するためのコードと、コードを巻き取るゼンマイバネ式のコードリールと、コードリールを保持するコードリールカクヘキとコードリールの回転を制動するブレーキローラーと、前記ブレーキローラーを保持しコードリールカクヘキに付属したバネにより付勢されたブレーキの操作部ともなるブレーキレバーから構成され、前記ブレーキレバーの一部に樹脂による弾性構造部を設けたコードリールセット。
【請求項２】
前記ブレーキレバーは前記弾性構造部が変形することにより動作する請求項１のコードリールセット。
【請求項３】
前記ブレーキレバー自身にブレーキレバーの弾性構造部のストッパー部を有する請求項１または２に記載のコードリールセット。
【請求項４】
前記コードリールカクヘキに前記ブレーキレバーの弾性構造部のストッパー部を有する請求項１または２に記載のコードリールセット。
【請求項５】
請求項１から４のいずれか１項に記載のコードリールセットを搭載した電気掃除機。
【発明の詳細な説明】
【技術分野】
【０００１】
本発明は、電気掃除機などの電気機器本体に組み込まれるコードリールセットに関するものである。
【背景技術】
【０００２】
従来から電気掃除機の本体内に収納されるコードリールセットに関しては、（例えば、特許文献１参照）コードリールペダル復帰用のバネを廃止し、それに変わってコードリールを収納支持する枠体に、コードリールペダルを支持するリブを設け、そのリブおよび枠体とその位置関係又は、ペダルの弾性を利用することにより、バネ無しでも押しボタンが復帰する（例えば、特許文献１参照）。従来のこの種のコードリールセットについて、図５から７を用いて説明する。
【０００３】
第５図に示すように、電源コード５と、それを巻き込むためのコードリール４、コードリール４に内蔵され回転させる力を発生させるゼンマイバネ９とコードリール４の回転を制動するストッパー車輪１１、ストッパー車輪１１を保持しているコードリールストッパーレバー６とコードリール４を保持するボデーシタ１とブレーキ操作を行うコードリールペダル７、コードリールペダル７を保持する飾り板８から構成されている。
【０００４】
この前記構成において、コードリールペダル７を外力Ｆにより押し下げると、コードリールストッパーレバー６は下に押し下げられ、コードリール４とストッパーバネ支持壁（図示せず）によりロックされていたストッパー車輪１１は、下方に押し下げられロックが解除される。
【０００５】
解除されたコードリール４にはコードリール４内のゼンマイバネ９のバネの巻き戻し力により、電源コード５は巻き込まれる。この時、コードリールペダル７が支点１４を中心にコードリールペダル７の作用点に外力Ｆが加わる。このときボデーシタ１と飾り板８が変形しないよう補強してあるから、コードリールペダル７が第６図に示すように、飾り板８の一端により押し上げられる。
【０００６】
コードリールペダル７は、弾性体で形成されており、外力Ｆを取り除くと、再び第６図の点線で示す元の位置まで復帰する。また、コードリールペダル７が飾り板８よりも先に弾性変形する場合は自身が弾性体となり、図７に示すように変形をすることによりコードリールペダル復帰用のバネを設けずとも、コードリールペダルが元の位置に復帰する。
【先行技術文献】
【特許文献】
【０００７】
【特許文献１】特開昭６１−２１７１２７号公報
【発明の概要】
【発明が解決しようとする課題】
【０００８】
しかしながら前記従来の構成においては、コードリールにブレーキ作用を働かせるにコードリールペダルと別部品を設けなければならず、また、コードリールペダルを挟み込む構成にしなければならない。そのために製品の組立てが複雑になりまた別部品を設けることによるコストアップとなる課題を有していた。
【０００９】
本発明は上記課題を解決するもので、コードリールペダルとブレーキレバー部を一体化し、その部品構成の一部に樹脂による弾性構造を設けたもので、別部品で挟み込む構成を
取らずとも、部品自身が有する弾性構造により復帰する構成としたものである。この部品構成により、外観のデザイン性はコードリールとブレーキレバーの別部品を設けた従来構成と全く変わらず、デザイン性を損なうことがない。
【課題を解決するための手段】
【００１０】
電源を供給するためのコードと、コードを巻き取るゼンマイバネ式のコードリールと、コードリールを保持するコードリールカクヘキとコードリールの回転を制動するブレーキローラーと、前記ブレーキローラーを保持しコードリールカクヘキに付属したバネにより負勢されたブレーキの操作部を兼用するブレーキレバーから構成され、前記ブレーキレバーの一部に樹脂による弾性構造を設けたコードリールセットで、部品点数を減らしながらもコードリール機能の維持を図る。
【発明の効果】
【００１１】
本発明によれば、部品点数を減らしつつ、ブレーキ操作時には略垂直に操作することが可能であるので外観のデザイン性の向上し、組立て性を損なうことのないコードリールセットを提供できる。
【図面の簡単な説明】
【００１２】
【図１】本発明の電気掃除機斜視図
【図２】同電気掃除機の電気掃除機平面図
【図３】同コードリールセットの操作時の要部断面図
【図４】同コードリールセットの操作時の要部断面図
【図５】従来の発明のコードリールセットの断面図
【図６】同コードリールセットの操作時の一部断面図
【図７】同コードリールセットの操作時の一部断面図
【発明を実施するための形態】
【００１３】
第１の発明は電源を供給するためのコードと、コードを巻き取るゼンマイバネ式のコードリールと、コードリールを保持するコードリールカクヘキとコードリールの回転を制動するブレーキローラーと、前記ブレーキローラーを保持しコードリールカクヘキに付属したバネにより負勢されたブレーキの操作部ともなるブレーキレバーから構成され、前記ブレーキレバーの一部に樹脂による弾性体構造を設けることで、ブレーキレバー操作後に弾性体自身の作用による復帰により当初位置に戻るので、バネや他の部品との挟み込みによる弾性体の構造を取らずとも、コードリール機能を維持し部品点数の削減を図ることができる。
【００１４】
第２の発明は、前記ブレーキレバーは弾性体自身の変形により動作することを特徴としたもので、部品の一部が変形することで弾性体を形成することで部品形状の簡素化を図ることができる。
【００１５】
第３の発明は、前記ブレーキレバー自身に前記ブレーキレバー内の弾性体のストッパー部を有するもので、これによりブレーキレバー内の弾性体形状の変形や破損がないので、ブレーキレバーの信頼性向上を図ることができる。
【００１６】
第４の発明は、前記コードリールカクヘキに前記ブレーキレバー内の弾性体のストッパー部を有するもので、これによりブレーキレバー内の弾性体形状の変形や破損がないので、ブレーキレバーの信頼性向上を図ることができる。
【００１７】
第５の発明は、前記コードリールセットを電気掃除機に搭載したもので、部品点数を減らしつつ、ブレーキ操作時には垂直に操作することが可能であるので外観のデザイン性の
向上した電気掃除機を提供することができる。
【００１８】
（実施の形態１）
本発明の電気掃除機とコードリールセットを図１〜４を用いて説明する。前方に塵埃を集塵する集塵室２１を、集塵室２１後方には空気を吸引するための電動送風機２２を取り付けた電動送風機室２３と、コードリールユニット２４を配するコードリール室２５を設けた電気掃除機において、前記集塵室２１は本体下２６と集塵室蓋２７、電動送風機室２３とコードリール室２５は本体下２６と本体上２８とでそれぞれ形成されている。
【００１９】
また、コードリールユニット２４は、本体に電源を供給するための電源コード２９と、電源コード２９を巻き取るコードリール３０と、コードリール３０を保持するコードリール取付板３１と、コードリール３０とコードリール取付板３１の間で挟持されコードリール３０を自動で巻き取るためのゼンマイバネ３２とゼンマイバネを保持するためのゼンマイバネフタ３６、コードリール３０の回転を制御するブレーキレバー３３と、ブレーキレバー３３の端にコードリール３０を制動するブレーキローラー３５を設け、ブレーキレバー３３を回動規制させるバネ３４とで構成されている。
【００２０】
また、ブレーキレバー３３はコードリール取付板３１に回動自在に保持され、その保持部３３ｃを支点に、作用点となるブレーキ部３３ａと、力点となるボタン部３３ｂで構成されている。
【００２１】
前記コードリールユニット２４の動作は、ボタン部３３ｂを押すとブレーキ部３３ａに保持されたコードリール３０を制動していたブレーキローラー３５がコードリール３０の外周から離れ、コードリール３０内に配されたゼンマイバネ３２によりコードリール３０が回転し電源コード２９がコードリール３０に巻き取られる。
【００２２】
また、ボタン部３３ｂを離すとブレーキ部３３ａの上部に配されたバネ３４がボタン部３３ｂを押し上げるとともに、ブレーキ部３３ａに取り付けられたブレーキローラー３５がコードリール３０の外周に接触しコードリール３０の回転を止めるものである。
【００２３】
上記構成による作用は以下の通りである。電気掃除機の使用を終えた利用者は、電源コード２９を収納する際にボタン部３３ｂを押し、電源コード２９を収納しようとする。この際にコードリール３０を巻き取るためのブレーキレバー３３のボタン部３３ｂ付近の変形部３３ｄの弾性形状が弾性変形することにより、保持部３３ｃを介してブレーキ部３３ａが上方に持ち上げられる。
【００２４】
これによりブレーキ部３３ａに保持されたブレーキローラー３５がコードリール３０の外周から離れ、コードリール３０内に配されたゼンマイバネ３２により巻き取ることができる。また、ブレーキレバー３３内にブレーキレバー３３の材質が持つ弾性域以上に変形を防止するストッパー部３３ｅを設けることで、ボタン部３３ｂに過剰な力が加わった場合でも弾性域内で変形防止できるため、万が一過剰な力がブレーキレバー３３に加わった場合でもブレーキレバー３３の機能が損なわれることがない。
【００２５】
ストッパー部３３ｅは本図面ではブレーキレバー部品により構成しているが、変形防止の役目を果たせば、その他周囲の部品から構成してもよい。通常ブレーキペダル構成がボタン部とレバー部が２部品で構成されている場合には、ボタン部の位置に関しては自由度が高くデザイン性も損なう恐れはないが、部品点数は本発明と比較して多くなる。
【００２６】
次にブレーキレバーに弾性形状を設けない場合には、ブレーキ部を解除するためには、ボタン部が支点を介してブレーキ部解除方向とは逆に動作させる必要があり、ブレーキ部
の移動分だけ外観デザインの制約を受ける。本発明はブレーキ解除時にブレーキボタンを擬似的に垂直に押せ、また外観デザインの制約を受けずにブレーキレバーのボタン位置を決めることが出来る。
【００２７】
本発明の弾性体を利用したブレーキレバーの強度に関しては、ブレーキレバー自身またはブレーキレバー周辺部に、弾性体の材質が持つ弾性域以上に変形を防止するストッパー部を設けることでこれらにより、機能、外観の制約を受けることなく、部品点数を削減することが出来る。
【産業上の利用可能性】
【００２８】
以上のように、本発明にかかるコードリールセットまたはコードリールセットを搭載した電気掃除機は、部品点数を削減しながら電気掃除機のデザイン性を維持することが出来るので、利用者に利便性を維持しながら安価な電気掃除機を提供することが出来、各種家庭用、業務用電気掃除機等に広く適用できる。また、ゼンマイバネを用いたコードリールを利用する各種家庭、業務用等の電化機器に有用である。
【符号の説明】
【００２９】
２１  集塵室
２２  電動送風機
２３  電動送風機室
２４  コードリールユニット
２５  コードリール室
２６  本体下
２７  集塵室蓋
２８  本体上
２９  電源コード
３０  コードリール
３１  コードリール取付板
３２  ゼンマイバネ
３３  ブレーキレバー
３３ａ  ブレーキ部
３３ｂ  ボタン部
３３ｃ  保持部
３３ｄ  変形部
３３ｅ  ストッパー部
３４  バネ
３５  ブレーキローラー
３６  ゼンマイバネフタ
【図１】
2012061199.tif 000003
【図２】
2012061199.tif 000004
【図３】
2012061199.tif 000005
【図４】
2012061199.tif 000006
【図５】
2012061199.tif 000007
【図６】
2012061199.tif 000008
【図７】
2012061199.tif 000009